(57)【要約】【課題】  ブックマーク機能を用いて電子文書の所在情報を保存する操作を行なわなくても、データをダウンロードするのに表示したことのある電子文書を簡単に再表示することができる電子文書表示装置を提供する。【解決手段】  通信回線網２を介してサーバ６内の電子文書１８に接続し、このサーバが保有するデータ２０を取得可能な通信部３２と、電子文書を表示する表示部１０と、通信部により取得したデータを記憶する記憶部４２と、通信部によるデータの取得時に、このデータを取得するのに表示部に表示したことのある電子文書の所在情報を、このデータに関連付けて記憶部に記憶するよう制御する制御部４４とを有するようにした。【選択図】      図５
2006276968.tif 000002
【特許請求の範囲】
【請求項１】
通信回線網を介してサーバ内の電子文書に接続し、前記サーバが保有するデータを取得可能な通信部と、
前記電子文書を表示する表示部と、
前記通信部により取得したデータを記憶する記憶部と、
前記通信部により前記データを取得する際、当該データを取得する過程で前記表示部に表示したことのある前記電子文書の所在情報を、当該データに関連付けて前記記憶部に記憶するよう制御する制御部と
を有することを特徴とする電子文書表示装置。
【請求項２】
前記データが、文字列を記入可能な自由領域を含む複数の領域を有して構成され、
前記制御部は、前記自由領域に前記所在情報を記入することにより、前記データに前記所在情報を関連付けて記憶することを特徴とする請求項１に記載の電子文書表示装置。
【請求項３】
前記制御部は、前記所在情報を前記自由領域に記入する際に、所在情報であることを示す種別情報を付して記入するよう制御することを特徴とする請求項２に記載の電子文書表示装置。
【請求項４】
前記制御部は、前記所在情報を前記自由領域に記入する際に、当該自由領域に既に他の種別情報が記入されている場合は、所在情報の記入を行なわないよう制御することを特徴とする請求項２又は３に記載の電子文書表示装置。
【請求項５】
前記制御部は、前記データを取得する直前に前記表示部に表示され、当該データのリンク付けられた項目を含む電子文書の所在情報を前記データの自由領域に対し記入するよう制御することを特徴とする請求項２ないし４のいずれか一に記載の電子文書表示装置。
【請求項６】
前記制御部は、前記記憶部に記憶されたデータを出力する際に、前記自由領域に前記所在情報が記憶されていた場合には、当該出力するデータに関する操作メニューに、当該所在情報の表示又は当該所在情報への接続を指示する項目を含めるよう制御することを特徴とする請求項２ないし５のいずれか一に記載の電子文書表示装置。
【請求項７】
通信回線網を介してサーバ内の電子文書に接続するステップと、
前記サーバが保有するデータを取得するステップと、
前記電子文書を表示するステップと、
取得したデータを記憶するステップと、
前記データを取得する際、当該データを取得する過程で前記表示部に表示したことのある前記電子文書の所在情報を、当該データに関連付けるステップと
を有することを特徴とする電子文書記憶方法。
【発明の詳細な説明】
【技術分野】
【０００１】
本発明は、通信回線網上のサーバに接続して、このサーバ内のサイトが有するＷｅｂページのような電子文書を閲覧したり、画像、動画及び音声等の各種のデータをダウンロードしたりすることができる電子文書装置および電子文書記憶方法に関するものである。
【背景技術】
【０００２】
従来において、図８に示すように、通信回線網２、及びこの通信回線網２に回線接続された基地局４を介して、この通信回線網２を含んで構成されるインターネット上のサーバ６に通信接続し、このサーバ６内のサイトが有するＷｅｂページのような電子文書を閲覧したり、画像、動画、及び音楽等を含む音声等の各種のデータファイル（データ）をダウンロード（取得）したりすることができる電子文書表示装置８があった（例えば、特許文献１参照）。
【０００３】
ここで、電子文書とは、Ｗｅｂブラウザのようなブラウザ（インターネット閲覧用ソフトウェア）上で閲覧することができる情報のまとまりであって、文字及び／又は画像の情報を含むＨＴＭＬなどのブラウザに対応したコンピュータ言語にて記述されるように構成されているものをいう。この電子文書は、文字や画像の情報の他にも、音声や動画等の情報を含むように構成することができる。
【０００４】
また、サイトとは、通信回線網２上に構築される、この通信回線網２に接続された一若しくは複数のサーバ６によって運営される、多数のＷｅｂページのような電子文書をひとまとめにして構成されるデータ群のことをいう。
【０００５】
また、上記のような電子文書は、複数が互いにリンク付けられている。一般的には、電子文書表示装置８の表示部１０に表示されるときに、その文章中の特定の一部分に対し、関連する電子文書を登録してあるサーバ上のアドレスを対応付けて電子文書上にて記載されてサーバ上で管理運営されている。このような電子文書が電子文書表示装置８の表示部１０に表示されるときに、ユーザーが、表示部１０上で、リンク付けられた特定部分を指定する操作が行なわれると、この特定の部分に関連付けられているアドレスを基に通信回線網２を通じてサーバから取得して、関連付けられた他の文章や電子文書等を表示部１０に表示することができるようになっている。また、電子文書の特定の一部分に、電子文書表示装置８内の不図示の記憶部から直接、他の文章や電子文書等を取得する命令文を関連付けておくことにより、このような特定部分を指定する操作が行なわれると、他の文章や電子文書等を電子文書表示装置８内の記憶部から読み出したりするように構成することもできる。
【０００６】
したがって、電子文書表示装置８は、リンク付けにより、表示部１０に表示中の電子文書における、他の電子文書等に関連付けられている特定の部分を指定することにより、連鎖的に次々と他の電子文書等を表示部１０に表示させていくことができるようになっている。
【０００７】
例えば、電子文書表示装置８は、操作でブラウザが起動されることにより、図９の（ａ）に示すように、この電子文書表示装置８が有する不図示の記憶部内に記憶されていた「ＴＯＰメニュー」の電子文書１２を、表示部１０に表示させるようになっているものとする。そして、この電子文書１２は、図示されるように一例として４つの選択項目を含んでおり、それぞれの項目には関連する電子文書の格納されるサイトへのアドレスのリンク付けが予め行なわれている。
【０００８】
このような電子文書１２が表示部１０に表示された後に、ユーザーが、この電子文書１２中に記載されている、他の電子文書に関連付けられた複数の項目の中から、操作により上下方向、又は左右方向に移動可能なカーソル１４を移動させて、「自動車」の項目を選択して指定したとすると、電子文書表示装置８は、この項目に対応するＵＲＬ（Ｕｎｉｆｏｒｍ  Ｒｅｓｏｕｒｃｅ  Ｌｏｃａｔｏｒ）のような所在情報（アドレス）に基づいて、図８に示すサーバ６等に接続し、この指定した項目に関連付けられている図９の（ｂ）に示すようなＷｅｂページである電子文書１６を、表示部１０に表示するようになっている。
【０００９】
そして、このような電子文書１６が表示部１０に表示されたときにおいても、この電子文書１６中に記載されている、他の電子文書に関連付けられた複数の項目の中から、カーソル１４でいずれかの項目を選択して指定することにより、電子文書表示装置８は、この項目にリンク付けられた対応する所在情報に基づいて、他の電子文書等を表示するようになっている。電子文書表示装置８は、このような操作を繰返して行なうことにより、連鎖的に次々と他の電子文書等を表示部１０に表示させることができるようになっている。
【００１０】
また、上記のような操作を繰返すことにより様々な電子文書を経由した後に、例えば図９の（ｃ）に示すような、複数のダウンロード可能なデータファイル等を提供する電子文書１８が表示部１０に表示された場合には、ユーザーは、これらのデータファイルの中から所望するいずれかのものを選択して指定する操作を行なうことにより、この指定したデータファイルを出力（表示出力や音声出力）したり、ダウンロードしたりすることができる。
【００１１】
ダウンロードしたデータファイルは、電子文書表示装置８の不図示の記憶部に記憶される。このダウンロードしたデータファイルが、例えば図９の（ｄ）に示すような画像２０である場合には、サーバ６等との通信接続の切断後においても、不図示の記憶部内からこのダウンロードした画像２０のデータファイルを引出して表示部１０に表示させることができる。
【００１２】
また、前記特許文献１に係る電子文書表示装置８の中には、例えば、図９の（ｃ）に示す電子文書１８を表示部１０に表示した後に、サーバ６との通信接続を一旦切断したような場合でも、この電子文書１８を簡単に再表示させることができるようにするため、操作により、電子文書１８を表示させるための所在情報を保存しておくブックマーク機能を備えるようになっているものがあった。
【００１３】
また、前記特許文献１に係る電子文書表示装置８の中には、このようなダウンロードした画像２０等のデータファイルを、電子メール等のような通信メッセージで送受信することができるようになっているものがあった。
【００１４】
例えば、図８において、符号８ａ及び８ｂで示される２つの電子文書表示装置８の一方の電子文書表示装置８ａが、図９の（ｄ）に示す画像２０をダウンロードした後に（図８中、矢印Ａ）、このダウンロードした画像２０を、他方の電子文書表示装置８ｂに通信メッセージで送信することができる（図８中、矢印Ｂ）。そして、電子文書表示装置８ｂは、その表示部１０に、受信した画像２０を表示することができる。
【特許文献１】特開２００２−１６９６４４号公報
【発明の開示】
【発明が解決しようとする課題】
【００１５】
しかしながら、前記特許文献１のような電子文書表示装置８では、例えば、図９の（ｃ）に示す電子文書１８を表示部１０に表示しているときに、図９の（ｄ）に示す画像２０をダウンロードして、サーバ６との通信接続を一旦切断した後に、図９の（ｃ）に示す電子文書１８から画像２０とは異なる別の画像をダウンロードするために、この電子文書１８を再表示させたくなった場合であって、ブックマーク機能（ＵＲＬなどのＷｅｂページのアドレスを図示しない記憶部に複数記憶しておく機能）によりこの電子文書１８の所在情報を保存しておかなかったような場合には、切断前にこの電子文書１８を表示させるまでに辿った経路と同じ経路を再度辿る必要があるため、余計な通信費用が掛かると共に、操作が煩わしいという問題があった。
【００１６】
また、ブックマーク機能により電子文書１８の所在情報を保存しておいた場合であっても、このブックマーク機能により電子文書１８と異なる他の電子文書の所在情報が大量に保存されている場合には、結局電子文書１８の所在情報がいずれであるのか分かりづらいために、短時間で電子文書１８を再表示させることが難しいという問題があった。
【００１７】
また、例えば、図８に示す電子文書表示装置８ｂのユーザーは、電子文書表示装置８ａから通信メッセージにより画像２０を受信した後に、この画像２０とは異なる別の画像を電子文書１８から直接ダウンロードしたくなったような場合には、電子文書表示装置８ａのユーザーから電子文書１８又は画像２０の所在情報を教えてもらい、この所在情報を電子文書表示装置８ｂに入力するか、或いは、電子文書表示装置８ａのユーザーから電子文書１８までの経路を教えてもらい、これと同じ経路を辿るようにする必要があるという問題があった。
【００１８】
そこで本発明は、上記問題点に鑑みて、ブックマーク機能を用いて電子文書の所在情報を保存する操作を行なわなくても、データをダウンロードするときに表示した、ダウンロードするデータへのリンク付けのされた項目の含まれる電子文書を簡単に再表示することができる電子文書表示装置および電子文書記憶方法を提供することを課題とするものである。
【課題を解決するための手段】
【００１９】
上記課題を解決するために、本発明の携帯端末装置は、
通信回線網を介してサーバ内の電子文書に接続し、前記サーバが保有するデータを取得可能な通信部と、
前記電子文書を表示する表示部と、
前記通信部により取得したデータを記憶する記憶部と、
前記通信部により前記データを取得する際、当該データを取得する過程で前記表示部に表示したことのある前記電子文書の所在情報を、当該データに関連付けて前記記憶部に記憶するよう制御する制御部とを有することを特徴とするものである。
【００２０】
また、本発明による携帯端末装置は、
前記データが、文字列を記入可能な自由領域を含む複数の領域を有して構成され、
前記制御部は、前記自由領域に前記所在情報を記入することにより、前記データに前記所在情報を関連付けて記憶するようになっていてもよい。
【００２１】
また、本発明による携帯端末装置は、前記制御部は、前記所在情報を前記自由領域に記入する際に、所在情報であることを示す種別情報を付して記入するよう制御するようになっていてもよい。
【００２２】
また、本発明による携帯端末装置は、前記制御部は、前記所在情報を前記自由領域に記入する際に、当該自由領域に既に他の種別情報が記入されている場合は、所在情報の記入を行なわないよう制御するようになっていてもよい。
【００２３】
また、本発明による携帯端末装置は、前記制御部は、前記データを取得する直前に前記表示部に表示され、当該データのリンク付けられた項目を含む電子文書の所在情報を前記データの自由領域に対し記入するよう制御するようになっていてもよい。
【００２４】
また、本発明による携帯端末装置は、前記制御部は、前記記憶部に記憶されたデータを出力する際に、前記自由領域に前記所在情報が記憶されていた場合には、当該出力するデータに関する操作メニューに、当該所在情報の表示又は当該所在情報への接続を指示する項目を含めるよう制御するようになっていてもよい。
【００２５】
上記課題を解決するために、本発明の電子文書記憶方法は、
通信回線網を介してサーバ内の電子文書に接続するステップと、
前記サーバが保有するデータを取得するステップと、
前記電子文書を表示するステップと、
取得したデータを記憶するステップと、
前記データを取得する際、当該データを取得する過程で前記表示部に表示したことのある前記電子文書の所在情報を、当該データに関連付けるステップとを有することを特徴とするものである。
【発明の効果】
【００２６】
このような本発明の電子文書表示装置および電子文書記憶方法によれば、ブックマーク機能を用いて電子文書の所在情報を保存する操作を行なわなくても、データをダウンロードするのに表示したことのある電子文書を簡単に再表示することができる。
【発明を実施するための最良の形態】
【００２７】
以下、本発明に係る電子文書表示装置および電子文書記憶方法の実施の形態について、図面に基づいて具体的に説明する。
【００２８】
図１ないし図７は、本発明の一実施の形態に係る携帯電話機３０（電子文書表示装置に相当）およびその電子文書記憶方法について説明するために参照する図である。これらの図に示す携帯電話機３０は、従来の電子文書表示装置８と同様の部分には同じ符号を付して説明し、従来と同様の構成についての重複する説明は省略するものとする。
【００２９】
図１は、本実施の形態に係る携帯電話機３０の回路構成を示すブロック図である。同図に示すように、携帯電話機３０は、表示部１０、通信部３２、操作部３４、スピーカー３８、マイクロホン４０、記憶部４２、及びこれらを制御する制御部４４を備えている。
【００３０】
ユーザーの操作に基づいて、この携帯電話機３０の通信部３２が、図２に示すように、基地局４及び通信回線網２を介してサーバ６に接続し、このサーバ６内のサイトが保有する画像、動画又は音声等のデータファイルをダウンロード（取得）した場合には（図２中、矢印Ａ）、このダウンロードしたデータファイルは、図１に示す携帯電話機３０の記憶部４２に記憶される。
【００３１】
次に、操作部３４は、図３に示すように、ソフトキー３４ａ，３４ｂ，３４ｃを備えている。また、表示部１０の表示面には、その最も操作部３４寄りの下段部分４６に、操作部３４のソフトキー３４ａ，３４ｂ，３４ｃのそれぞれに対応する機能ガイダンス４６ａ，４６ｂ，４６ｃが表示されるようになっている。そして、表示部１０には、その下段部分４６の上側の最も広い中段部分４８に電子文書等の画面が表示されるようになっている。
【００３２】
操作部３４のソフトキー３４ａ，３４ｂ，３４ｃのいずれかを押下する操作が行なわれたときには、この操作に対応する制御部４４の処理動作は、表示部１０の中段部分４８に表示される画面が切替えられるたびに異なる内容になるため、ソフトキー３４ａ，３４ｂ，３４ｃのそれぞれの現在の操作内容は、表示部１０の機能ガイダンス４６ａ，４６ｂ，４６ｃにその内容が表示されるようになっている。
【００３３】
また、中段部分４８に表示される画面によっては、例えばソフトキー３４ａを操作しても、この操作に対応する制御部４４の処理動作が行なわれないような場合があり、このような場合にはこのソフトキー３４ｂに対応する機能ガイダンス４６ａは表示されないようになっている。
【００３４】
また、ソフトキー３４ｂ，３４ｃのそれぞれに対応する機能ガイダンス４６ｂ，４６ｃも、機能ガイダンス４６ａと同様に、ソフトキー３４ｂ，３４ｃのそれぞれに対応する制御部４４の処理動作が行なわれないような場合には、表示されないようになっている。
【００３５】
このような機能ガイダンス４６ａ，４６ｂ，４６ｃのそれぞれを表示したり表示しないようにしたりする制御は、制御部４４が行なうようになっている。また、機能ガイダンス４６ａ，４６ｂ，４６ｃのそれぞれに表示されるソフトキー３４ａ，３４ｂ，３４ｃの操作内容の標記は、予め記憶部４２に記憶されており、制御部４４が、表示部１０の中段部分４８に表示される画面に基づいて、操作内容の標記のいずれを機能ガイダンス４６ａ，４６ｂ，４６ｃとして表示させるのかを判断するようになっている。
【００３６】
また、図１に示す制御部４４は、その後述する所在情報埋込み機能の処理動作により、ダウンロードした画像、動画又は音声等のデータファイル中における後述の自由領域に、ＵＲＬ等のような所在情報を埋め込むようになっている。
【００３７】
制御部４４は、例えばＪＰＥＧ（Ｊｏｉｎｔ  Ｐｈｏｔｏｇｒａｐｈｉｃ  Ｅｘｐｅｒｔｓ  Ｇｒｏｕｐ）形式等の画像や、ＭＰＥＧ（Ｍｏｔｉｏｎ  Ｐｉｃｔｕｒｅ  Ｅｘｐｅｒｔｓ  Ｇｒｏｕｐ）形式、３ＧＰＰ（３ｒｄ  Ｇｅｎｅｒａｔｉｏｎ  Ｐａｒｔｎｅｒｓｈｉｐ  Ｐｒｏｊｅｃｔ）形式、及び３ＧＰＰ２（３ｒｄ  Ｇｅｎｅｒａｔｉｏｎ  Ｐａｒｔｎｅｒｓｈｉｐ  Ｐｒｏｊｅｃｔ２）形式等の動画や、ＭＰ３（ＭＰｅｇ  ａｕｄｉｏ  ｌａｙｅｒ３）形式等の音声のデータファイル等を、後述する所在情報埋込み機能の処理動作の対象としている。
【００３８】
図４は、このような所在情報埋込み機能の処理動作の対象となる画像、動画、音声等の各種のデータファイル５０の一般的な構造を示す概念図である。同図中の（ａ）に示すように、このようなデータファイル５０は、そのデータ本体５２がヘッダ５４とフッタ５６に挟まれる構造になっている。
【００３９】
そして、データ本体５２は、図４の（ｂ）に示すように、画像、動画、音声等の実体データ５８、作成日データ６０、及び作成者データ６２等の他に、文字列を記入可能な自由領域６４を含んで構成されている。図４の（ｂ）中において自由領域６４は、便宜上１つのまとまった領域として表されているが、複数の領域に分割されていることもある。
【００４０】
この自由領域６４には、後述する制御部４４の所在情報埋込み機能の処理動作により、図４の（ｃ）に示すようなヘッダ６６（種別情報）及び所在情報６８の文字列が埋込まれる（書込まれる）。ヘッダ６６は、このヘッダ６６に続くデータが所在情報６８であることを示す識別子である。このような自由領域６４に書込まれるヘッダ６６及び所在情報６８は、図４の（ａ）に示すデータ本体５２中における自由領域６４以外の他の領域部分に対して、全く影響を与えない。
【００４１】
次に、図５のフローチャートに基づいて、携帯電話機３０の制御部４４の所在情報埋込み機能の処理動作について説明する。なお、この所在情報埋込み機能は、ユーザーの操作により、その処理動作を行なうかどうかについての設定の「ＯＮ」及び「ＯＦＦ」を切り替えることができるようになっている。
【００４２】
ところで、携帯電話機３０は、ブラウザが起動されると、初めに記憶部４２に記憶される「ＴＯＰページ」や、インターネット上のサイト検索エンジンなどにより、接続したいサイトを特定すると共に、そのＵＲＬなどのアドレス情報を取得する。そして、この取得したアドレス情報を記憶部４２内に設けた領域内に確保し、これを用いて通信部３２により基地局を介してサーバ、サイトを特定して通信を開始して電子文書（Ｗｅｂページ）を取得する。以降、電子文書にて表示されるアドレス情報のリンク付けられた特定部分を操作部３４にて指定するごとに、電子文書にてリンク先として規定され記憶されているアドレス情報を抽出して記憶部４２に記憶しつつ、このアドレス情報に基づいて新たな電子文書を表示する。
【００４３】
さて、携帯電話機３０は、図２に示すように、ユーザーの操作に基づいて取得したアドレス情報などの所在情報を記憶部４２に記憶しつつ、サーバ６に接続して電子文書を取得し（図２中、矢印Ａ）、その表示部１０に様々な電子文書を表示してその所在情報を記憶しつつこれらを経由した後に、前記従来の電子文書表示装置８において、図９の（ｃ）に示すような電子文書１８から画像２０のデータファイルをダウンロードしたのと同様に、図２に示すサーバ６内のサイトが保有する画像、動画又は音声等のデータファイルのリンク付けられる項目（特定部分）を選択指定してダウンロード（取得）する場合には（図５中、ステップＳ１０１のＹＥＳ）、データをダウンロードして記憶部４２上に一旦ダウンロードしてバッファリングすると共に、このデータの取得の際に使用したアドレス情報（ＵＲＬなど）を記憶部４２に残しておく。次に所在情報埋込み機能の設定が「ＯＮ」になっているかどうかを判断するようになっている（ステップＳ１０２）。
【００４４】
所在情報埋込み機能の設定が「ＯＦＦ」であった場合には（ステップＳ１０２のＮＯ）、ステップＳ１０３以降の処理動作は行なわれない。ステップＳ１０２において所在情報埋込み機能の設定が「ＯＮ」であった場合には（ステップＳ１０２のＹＥＳ）、制御部４４は、記憶部４２にてバッファリングされるダウンロードしたデータファイルのデータ形式を確認した後に、このダウンロードしたデータファイルについて、図４の（ｂ）に示す自由領域６４に相当するような自由領域があるかどうかを検索するようになっている（ステップＳ１０３）。
【００４５】
そして、制御部４４は、このダウンロードしたデータファイルの自由領域に、既に所在情報が埋込まれているかどうかを、例えば図４の（ｃ）に示すヘッダ６６に相当するようなヘッダの有無により確認するようになっている（ステップＳ１０４）。既に所在情報が埋込まれていた場合には（ステップＳ１０４の「有り」）、制御部４４は、このダウンロードしたデータファイルをそのままの状態で、記憶部４２に記憶するようになっている（ステップＳ１０５）。また、自由領域６４に相当するような自由領域が無かった場合にも同様にダウンロードしたデータファイルをそのままの状態で、記憶部４２に記憶する。
【００４６】
また、ステップＳ１０４において、ダウンロードしたデータファイルの自由領域に、所在情報がまだ埋込まれていなかった場合には（ステップＳ１０４の「無し」）、制御部４４は、このダウンロードしたデータファイルの自由領域に、図４の（ｃ）に示すヘッダ６６及び所在情報６８のそれぞれに相当するように、ダウンロードしたデータを取得する際に用いた電子文書のアドレス情報（ＵＲＬなど）を所在情報とし、ヘッダ（種別情報）と共に書込み（図５中、ステップＳ１０６）、記憶部４２に記憶する（ステップＳ１０５）。
【００４７】
これにより、ステップＳ１０６において埋込まれる所在情報は、ダウンロードしたデータファイルの元の所在、すなわち、このダウンロードしたデータファイルの、図２に示すサーバ６内のサイト内における電子文書としての元の所在を直接指し示すものである。
【００４８】
例えば、携帯電話機３０により図９の（ｄ）に示す画像２０のデータファイルをダウンロードしたような場合には、この画像２０のデータファイルの電子文書としての元の所在を直接指し示す「ｈｔｔｐ：／／ｗｗｗ．ｇｈｉ．ｃｏ．ｊｐ．／ｐｒｏｄｕｃｔ／ｐｈｏｔｏ０３．ｊｐｇ」（ダウンロードを指示したときのＷｅｂページのアドレス）のような所在情報が、ダウンロードした画像２０のデータファイルの自由領域に埋め込まれる。
【００４９】
次に、図６及び図７のフローチャートに基づいて、データファイルに埋め込まれた所在情報を参照することにより通信接続するときの制御部４４の処理動作について説明する。
【００５０】
図１に示す記憶部４２内に記憶されたデータファイルの中から、いずれかのものが指定されると共に、この指定されたデータファイルを表示部１０に表示したり、スピーカー３８から音声出力させたりする操作が行なわれると（図６中、ステップＳ２０１）、制御部４４は、このデータファイルの出力を開始するようになっている（ステップＳ２０２）。
【００５１】
また、制御部４４は、このようなステップＳ２０２の処理動作を開始すると共に、ステップＳ２０３以降の処理動作を行なうようになっている。まず、制御部４４は、ステップＳ２０２で処理動作を開始したデータファイル内に自由領域があるかどうかを確認するようになっている（ステップＳ２０３）。データファイル内に自由領域が無い場合には（ステップＳ２０３のＮＯ）、ステップＳ２０４以降の処理動作は行なわれない。
【００５２】
ステップＳ２０３において、データファイル内に自由領域があった場合には（ステップＳ２０３のＹＥＳ）、制御部４４は、この自由領域に所在情報が埋込まれているかどうかを（例えばヘッダ６６の有無により）確認するようになっている（ステップＳ２０４）。所在情報が埋込まれていない場合には（ステップＳ２０４のＮＯ）、ステップＳ２０５以降の処理動作は行なわれない。
【００５３】
ステップＳ２０４において、データファイルの自由領域に所在情報が埋込まれていた場合には（ステップＳ２０４のＹＥＳ）、制御部４４は、サブメニューに「所在情報表示」という項目を追加するようになっている（ステップＳ２０５）。
【００５４】
ここで、サブメニューとは、例えば「編集」、「コピー」、「削除」、及び「送信」等の項目で構成される操作メニューであって、データファイルの出力中（表示中や鳴動中）に図３に示す表示部１０の下段部分４６の機能ガイダンス４６ａに「サブメニュー」と表示されているときに、この機能ガイダンス４６ａに対応するソフトキー３４ａが押下されると、表示部１０の中段部分４８にサブメニューが表示されるようになっているものである。
【００５５】
そして、このような機能ガイダンス４６ａとしての「サブメニュー」の文字列の表示は、図６のステップＳ２０１のような操作が行なわれて記憶部４２内のいずれかの画像、動画又は音声等のデータファイルが指定されたり、この指定されたデータファイルがステップＳ２０２のように出力されたりしたことに対応して、制御部４４の処理動作によって行なわれる。
【００５６】
したがって、図示しないが、「サブメニュー」という文字列が機能ガイダンス４６ａとして表示された後に、ユーザーがこの機能ガイダンス４６ａに対応するソフトキー３４ａを押下することにより、サブメニューを表示部１０の中段部分４８に表示させ、この不図示のサブメニューのいずれかの項目を指定したことに対応して行なわれる、制御部４４の処理動作は、図６のステップ１で指定したデータファイルに対して行なわれるようになっている。
【００５７】
また、図６のステップＳ２０５において、この不図示のサブメニューに「所在情報表示」という項目が追加されるまでは、ソフトキー３４ａを押下することにより、この不図示のサブメニューを表示部１０の中段部分４８に表示させても、「所在情報表示」という項目は表示されないようになっており、所在情報を登録してあるデータファイルの展開時のみに「所在情報表示」という項目が表示され、ユーザーは所在情報の登録の有無を容易に知ることができる。
【００５８】
次に、制御部４４は、図６のステップＳ２０５の処理動作の後に、図３に示すソフトキー３４ａが押下されて不図示のサブメニューが表示部１０の中段部分４８に表示され、この不図示のサブメニューの中から「所在情報表示」の項目を指定する操作が行なわれたかどうかを判断するようになっている（図７中、ステップＳ２０６）。
【００５９】
図６のステップＳ２０５の処理動作の後に、ソフトキー３４ａが押下されなかった場合には（ステップＳ２０６のＮＯ）、制御部４４は、ステップＳ２０７以降の処理動作は行なわない。また、ソフトキー３４ａを押下して不図示のサブメニューを表示部１０の中段部分４８に表示させた後に、このサブメニューの中から「所在情報表示」以外の項目を指定し、実行要求する操作が行なわれた場合には（同じくステップＳ２０６のＮＯ）、制御部４４は、ステップＳ２０７以降の処理動作は行なわずに、指定された項目に対応する処理動作を行なうようになっている。
【００６０】
そして、図６のステップＳ２０５の処理動作の後に、ソフトキー３４ａを押下する操作が行なわれて、サブメニューが表示部１０の中段部分４８に表示された後に、このサブメニューの中から「所在情報表示」の項目が指定された場合には（ステップＳ２０６のＹＥＳ）、図示しないが、この表示部１０の中段部分４８に表示中のサブメニューに代えて、図６のステップＳ２０１で指定したデータファイルの自由領域に埋込まれている所在情報を表示するようになっている（ステップＳ２０７）。
【００６１】
そして、ユーザーの操作により、表示部１０の中段部分４８に表示された不図示の所在情報が指定されてアクセス要求がなされると（ステップＳ２０８のＹＥＳ）、制御部４４は、通信部３２に、この所在情報により特定されるアドレスの示すサーバ中の電子文書（Ｗｅｂページ）に通信接続させるようになっている（ステップＳ２０９）。
【００６２】
通常、同一サイト内の電子文書等は、互いにリンクが張られており、系統立てられた階層構造になっていることが多い。このため、ステップＳ２０９で通信接続した電子文書の上位又は下位の階層に目的の電子文書があるような場合には、ユーザーは、ステップＳ２０９で通信接続した電子文書を手掛かりとして、目的の電子文書まで容易に辿りつくことができる。
【００６３】
また、図２に示すように、携帯電話機３０ａが、サーバ６内のサイトが有するデータファイルをダウンロード（図２中、矢印Ａ）した後に、このデータファイルを通信メッセージ等により携帯電話機３０ｂに送信した場合には（図２中、矢印Ｂ）、携帯電話機３０ｂのユーザーは、図６及び図７に示すフローチャートの処理動作により、携帯電話機３０ａから受信したデータファイルの元の電子文書、または、この電子文書の上位又は下位の階層の電子文書まで容易に辿りつくことができる（図２中、矢印Ｃ）。
【００６４】
したがって、例えば、図２に示す携帯電話機３０ａのユーザーは、図９の（ｄ）に示す画像２０のデータファイルをダウンロード（図２中、矢印Ａ）して、一旦通信接続を切断した後に、図９の（ｃ）に示す電子文書１８を再び閲覧したくなったような場合には、図６及び図７に示すフローチャートの処理動作により、ダウンロードした画像２０のデータファイル内の所在情報を手掛かりにして、目的の電子文書１８まで簡単に辿りつくことができる。
【００６５】
また、図２に示すように、携帯電話機３０ｂのユーザーは、携帯電話機３０ａがダウンロードした画像２０のデータファイルを、この携帯電話機３０ａから受信（図２中、矢印Ｂ）した後に、この画像２０のデータファイルを提供する図９の（ｃ）に示す電子文書１８を閲覧したくなったような場合には、図６及び図７に示すフローチャートの処理動作により、携帯電話機３０ａから受信した画像２０のデータファイル内の所在情報を手掛かりにして、目的の電子文書１８まで簡単に辿りつくことができる（図２中、矢印Ｃ）。
【００６６】
このような本実施の形態に係る携帯電話機３０および電子文書記憶方法によれば、ブックマーク機能を用いて電子文書の所在情報を保存する操作を行なわなくても、データをダウンロードするときに表示した、ダウンロードするデータへのリンク付けのされた項目の含まれる電子文書を簡単に再表示することができる。
【００６７】
また、携帯電話機３０ａによりダウンロードされたデータが、この携帯電話機３０ａと異なる携帯電話機３０ｂに送信されたような場合にも、この携帯電話機３０ｂは、受信したデータをダウンロードするのに表示する必要がある電子文書を簡単に表示することができる。
【００６８】
なお、本実施の形態では、図５のステップＳ１０６において、データファイルをダウンロードするのに表示したことのある電子文書の所在情報を、このデータファイルの自由領域に埋込むことにより、データファイルと所在情報とを互いに関連付けるようになっていたが、他の手法によってデータファイルと所在情報とを互いに関連付けるようになっていてもよい。
【００６９】
また、本実施の形態では、図５中のステップＳ１０６において、ダウンロードしたデータファイルの自由領域に埋込まれる所在情報は、このダウンロードしたデータファイルの元の所在を直接指し示すものであったが、ダウンロード可能なデータファイルを提供する電子文書のような、データファイルのダウンロードの直前に閲覧していた電子文書、または、この直前の電子文書を表示させるまでに経由した他の電子文書等の所在情報が埋め込まれていてもよい。
【００７０】
例えば、図９の（ｄ）に示す画像２０のデータファイルをダウンロードしたような場合に、この画像２０のデータファイルを含む複数のダウンロード可能なデータファイルを提供する、図９の（ｃ）に示す電子文書１８の所在を指し示す「ｈｔｔｐ：／／ｗｗｗ．ｇｈｉ．ｃｏ．ｊｐ．／ｐｒｏｄｕｃｔ／ｐｈｏｔｏｍｅｎｕ／」のような所在情報が、図５のステップＳ１０６において、ダウンロードした画像２０のデータファイルの自由領域に埋め込まれるようになっていてもよい。
【００７１】
また、本実施の形態では、図６のステップＳ２０５において、サブメニューに
「所在情報表示」という項目を追加するようになっていたが、このような「所在情報表示」の項目の代わりに、「所在情報への接続」という項目を追加するようになっていてもよい。
【００７２】
このような場合には、制御部４４は、図７のステップＳ２０６において、「所在情報表示」の項目を指定する操作が行なわれたがどうかを確認するのではなく、「所在情報への接続」の項目を指定する操作が行なわれたがどうかを確認するようになる。
【００７３】
また、制御部４４は、図７のステップＳ２０６において「所在情報への接続」の項目を指定する操作が行なわれたことを確認した場合には（ステップＳ２０６のＹＥＳ）、通信部３２に、図６のステップＳ２０１で指定したデータファイル内の所在情報により特定されるアドレスの示すサーバ中の電子文書（Ｗｅｂページ）に直ちに通信接続させ（図７中、ステップＳ２０９）、ステップＳ２０７及びＳ２０８は省略するような動作手順となる。
【００７４】
また、本実施の形態においては、図４に示すように、作成日６０や自由領域６４がデータ本体５８に含まれる例にて本発明の実施例を説明したが、これに限定されるものではなく、ヘッダ５４若しくはフッタ５６に含まれていてもよいことはいうまでもない。
【００７５】
また、本実施の形態においては、携帯電話機３０に本発明を適用した場合について説明したが、携帯電話機３０以外の、ＰＨＳ（Ｐｅｒｓｏｎａｌ  Ｈａｎｄｙ  ｐｈｏｎｅ  Ｓｙｓｔｅｍ）、通信機能を有するＰＤＡ（Ｐｅｒｓｏｎａｌ  Ｄｉｇｉｔａｌ  Ａｓｓｉｓｔａｎｔ）やカーナビゲーションシステムなどの他の電子文書表示装置、並びに通信回線網に接続可能なパーソナルコンピューター等についても本発明を適用することができることはいうまでもない。
【図面の簡単な説明】
【００７６】
【図１】本発明の一実施の形態に係る携帯電話機３０の回路構成を示すブロック図である。
【図２】本発明の一実施の形態に係る携帯電話機３０（３０ａ，３０ｂ）、並びに通信回線網２、基地局４及びサーバ６を示す模式図である。
【図３】本発明の一実施の形態に係る携帯電話機３０の正面図である。
【図４】図１に示す制御部４４の処理動作の対象となるデータファイル５０の概念図である。
【図５】図１に示す制御部４４の所在情報埋込み機能の動作手順を示すフローチャートである。
【図６】ダウンロードしたデータファイルに所在情報埋込み機能により埋め込まれた所在情報に基づいて、通信接続するときの制御部４４の動作手順を示すフローチャートである。
【図７】ダウンロードしたデータファイルに所在情報埋込み機能により埋め込まれた所在情報に基づいて、通信接続するときの制御部４４の動作手順を示すフローチャートである。
【図８】従来の携帯電話機８（８ａ，８ｂ）、並びに通信回線網２、基地局４及びサーバ６を示す模式図である。
【図９】図９（ａ）〜（ｄ）は、図８に示す携帯電話機８（８ａ，８ｂ）の表示部１０に，電子文書１２，１６，１８及び画像２０を順番に表示させた状態、並びにこの電子文書１６，１８及び画像２０の所在を特定する所在情報を各々に示す概念図である。
【符号の説明】
【００７７】
２  通信回線網
４  基地局
６  サーバ
８  電子文書表示装置
１０  表示部
１２  電子文書
１４  カーソル
１６，１８  電子文書
２０  画像（電子文書）
３０  携帯電話機
３２  通信部
３４  操作部
３４ａ，３４ｂ，３４ｃ  ソフトキー
３８  スピーカー
４０  マイクロホン
４２  記憶部
４４  制御部
４６  下段部分
４６ａ，４６ｂ，４６ｃ  機能ガイダンス
４８  中段部分
５０  データファイル
５２  データ本体
５４  ヘッダ
５６  フッタ
５８  実体データ
６０  作成日データ
６２  作成者データ
６４  自由領域
６６  ヘッダ（種別情報）
６８  所在情報
【図１】
2006276968.tif 000003
【図２】
2006276968.tif 000004
【図３】
2006276968.tif 000005
【図４】
2006276968.tif 000006
【図５】
2006276968.tif 000007
【図６】
2006276968.tif 000008
【図７】
2006276968.tif 000009
【図８】
2006276968.tif 000010
【図９】
2006276968.tif 000011